(57)【特許請求の範囲】
【請求項１】
板状の第一刃と板状の第二刃との間でテープを挟んで切断可能であり、少なくとも前記第二刃が可動である切断手段と、
少なくとも前記第二刃の１つの端部である第二刃端部の可動範囲と交差し、前記第一刃と前記第二刃との摺動面に略直交する方向と平行に延びる、前記テープが配置される通路であるテープ配置通路と、
少なくとも前記第二刃を駆動する駆動手段と、
前記駆動手段を使用して、前記第二刃端部に対応する前記第一刃の端部である第一刃端部と前記第二刃端部とが前記テープ配置通路を挟んで互いに離間し、且つ前記第一刃端部以外の前記第一刃の部分である第一刃胴部と前記二刃端部以外の前記第二刃の部分である第二刃胴部とが前記テープ配置通路から離間した状態である離間状態から、前記第一刃端部と前記第二刃端部とが重なり、且つ前記第一刃胴部と前記第二刃胴部とが重なった状態である重なり状態に、前記切断手段を変化させる第一駆動制御手段と、
前記第一駆動制御手段が前記切断手段を前記重なり状態に変化させた後、前記駆動手段を使用して、前記第一刃端部と前記第二刃端部とが前記テープ配置通路を挟んで互いに離間し、且つ前記第二刃胴部が前記テープ配置通路と交差する状態である中間状態に、前記切断手段を変化させる第二駆動制御手段と、
前記第二駆動制御手段が、前記切断手段を前記中間状態に変化させた後、前記駆動手段を使用して、前記切断手段を前記中間状態から前記重なり状態に変化させる第三駆動制御手段と
を備え、
前記第一刃端部と前記第二刃端部とは、前記重なり状態にある前記第二刃胴部から前記第一刃胴部に向かう方向である第一方向に屈曲し、
前記切断手段は、前記重なり状態から前記離間状態に変化する場合に、前記第一刃端部と前記第二刃端部とが離間を開始するタイミングが、前記第一刃胴部と前記第二刃胴部とが離間を開始するタイミングより前となるように構成されていることを特徴とするテープ切断装置。
【請求項２】
前記第一刃は固定された刃であり、
前記第二刃は、前記第二刃端部から前記第二刃胴部を挟んで反対側の一支点を中心に回動可能であり、
前記中間状態は、前記第一刃端部と前記第二刃端部とが前記テープ配置通路を挟んで離間した状態、且つ、前記第二刃端部と接触する前記第一刃端部の面である第一面と、前記第一面に対向する前記第一刃端部の面である第二面との間の厚み領域を、前記テープ配置通路における前記テープを支持する面に直交する方向である第二方向に向けて延ばした領域に、前記第二刃端部が位置する状態であることを特徴とする請求項１に記載のテープ切断装置。
【請求項３】
前記切断手段の前記第一方向とは反対の第三方向側に、前記テープ配置通路に配置された前記テープの前記第三方向への移動量を規制する規制部を備えたことを特徴とする請求項１又は２に記載のテープ切断装置。
【請求項４】
前記規制部は、前記第一方向又は前記第三方向に移動可能であることを特徴とする請求項１から３のいずれかに記載のテープ切断装置。
【請求項５】
前記駆動手段を使用して、前記切断手段を前記中間状態に変化させる第四駆動制御手段と、
前記第四駆動手段が前記切断手段を前記中間状態に変化させた後、前記駆動手段を使用して、前記切断手段を前記重なり状態に変化させる第五駆動制御手段と、
前記第五駆動手段が前記切断手段を前記重なり状態に変化させた後、前記駆動手段を使用して、前記切断手段を前記中間状態に変化させる第六駆動制御手段と、
前記第六駆動制御手段が前記切断手段を前記中間状態に変化させた後、前記駆動手段を使用して、前記切断手段を前記重なり状態に変化させる第七駆動制御手段と
を備えたことを特徴とする請求項１から４のいずれかに記載のテープ切断装置。
【発明の詳細な説明】
【技術分野】
【０００１】
本発明は、テープの角部を切断するテープ切断装置に関する。
【背景技術】
【０００２】
従来、テープの角部を切断するテープ切断装置が知られている。例えば、特許文献１に記載のテープのトリミング装置は、固定刃部材と、折り曲げられた一対の刃部を有する可動刃部材とを備えている。そして、トリミング装置は、固定刃部材と可動刃部材とを使用して、テープの一対の角部を同時に切断することができる。
【先行技術文献】
【特許文献】
【０００３】
【特許文献１】特開平１０−１４６７９２号公報
【発明の概要】
【発明が解決しようとする課題】
【０００４】
テーププリンタ等によってテープに印字が行われた場合、テープの端部に余白部分が存在する。しかしながら、特許文献１に記載のテープのトリミング装置は、角部を丸形状又は直線状に切断するのみであり、テープの余白部分まで切断することができない。このため、ユーザは、テープの余白部分を手作業で切断した後、トリミング装置を使ってテープの角部を切断する必要がある。よって、ユーザが同じ装置を使って、余白部分とテープの角部との両方を切断することができないという問題点がある。
【０００５】
本発明の目的は、テープの余白部分の切断とテープの角部の切断とを行うことが可能なテープ切断装置を提供することである。
【課題を解決するための手段】
【０００６】
本発明に係るテープ切断装置は、板状の第一刃と板状の第二刃との間でテープを挟んで切断可能であり、少なくとも前記第二刃が可動である切断手段と、少なくとも前記第二刃の１つの端部である第二刃端部の可動範囲と交差し、前記第一刃と前記第二刃との摺動面に略直交する方向と平行に延びる、前記テープが配置される通路であるテープ配置通路と、少なくとも前記第二刃を駆動する駆動手段と、前記駆動手段を使用して、前記第二刃端部に対応する前記第一刃の端部である第一刃端部と前記第二刃端部とが前記テープ配置通路を挟んで互いに離間し、且つ前記第一刃端部以外の前記第一刃の部分である第一刃胴部と前記二刃端部以外の前記第二刃の部分である第二刃胴部とが前記テープ配置通路から離間した状態である離間状態から、前記第一刃端部と前記第二刃端部とが重なり、且つ前記第一刃胴部と前記第二刃胴部とが重なった状態である重なり状態に、前記切断手段を変化させる第一駆動制御手段と、前記第一駆動制御手段が前記切断手段を前記重なり状態に変化させた後、前記駆動手段を使用して、前記第一刃端部と前記第二刃端部とが前記テープ配置通路を挟んで互いに離間し、且つ前記第二刃胴部が前記テープ配置通路と交差する状態である中間状態に、前記切断手段を変化させる第二駆動制御手段と、前記第二駆動制御手段が、前記切断手段を前記中間状態に変化させた後、前記駆動手段を使用して、前記切断手段を前記中間状態から前記重なり状態に変化させる第三駆動制御手段とを備え、前記第一刃端部と前記第二刃端部とは、前記重なり状態にある前記第二刃胴部から前記第一刃胴部に向かう方向である第一方向に屈曲し、前記切断手段は、前記重なり状態から前記離間状態に変化する場合に、前記第一刃端部と前記第二刃端部とが離間を開始するタイミングが、前記第一刃胴部と前記第二刃胴部とが離間を開始するタイミングより前となるように構成されている。
【０００７】
切断手段が離間状態にある場合、第一刃と第二刃とがテープ配置通路から離間している。このため、ユーザは、テープの端部の余白部分が切断手段よりも第一方向とは反対方向側に位置し、余白部分以外の部分が切断手段の第一方向側に位置するように、テープをテープ配置通路に配置することができる。この場合、第一駆動制御手段が切断手段を離間状態から重なり状態に変化させると、第一刃と第二刃との間にテープが挟まれ、テープの余白部分が切断される。また、このとき、第一刃端部と第二刃端部とが第一方向に屈曲しているので、第一刃端部と第二刃端部との形状に合わせて、テープの一の角部が切断される。その後、第二駆動制御手段が切断手段を重なり状態から中間状態に変化させる。ユーザは、テープを裏返して、テープ配置通路にテープを配置する。中間状態では、第二刃胴部がテープ配置通路の少なくとも一部と交差しているので、切断手段より第一方向とは反対側には、テープを配置できない。よって、テープにおける余白部分が切断された後の端部を、第二刃胴部に当接させることで、テープを位置決めすることができる。また、中間状態では第一刃端部と第二刃端部とがテープ配置通路を挟んで離間しているので、位置決めされたテープの他の角部（切断されていない角部）は、第一刃端部と第二刃端部との間に位置する。そして、第三駆動制御手段が切断手段を中間状態から重なり状態に変化させると、第一方向に屈曲した第一刃端部と第二刃端部とによって、前記他の角部が第一刃端部と第二刃端部との形状に合わせて切断される。以上のように、テープ切断装置は、テープの余白部分の切断とテープの角部の切断とを行うことができる。
【０００８】
前記テープ切断装置において、前記第一刃は固定された刃であり、前記第二刃は、前記第二刃端部から前記第二刃胴部を挟んで反対側の一支点を中心に回動可能であり、前記中間状態は、前記第一刃端部と前記第二刃端部とが前記テープ配置通路を挟んで離間した状態、且つ、前記第二刃端部と接触する前記第一刃端部の面である第一面と、前記第一面に対向する前記第一刃端部の面である第二面との間の厚み領域を、前記テープ配置通路における前記テープを支持する面に直交する方向である第二方向に向けて延ばした領域に、前記第二刃端部が位置する状態であってもよい。中間状態は、第一刃端部と第二刃端部とがテープ配置通路を挟んで離間している状態、且つ第一面と第二面との間の厚み領域を第二方向に向けて延ばした領域に、第二刃端部が位置する状態である。この場合、第一刃端部と第二刃端部とがテープ配置通路を挟んでわずかに離間している。よって、第二駆動制御手段が切断手段を中間状態にした後、ユーザがテープをテープ配置通路に配置した場合、テープの端部は第二刃胴部で位置決めされ、且つテープの角部は第一刃端部と第二刃端部との間に位置する。よって、第三駆動制御手段は、テープの角部を切断することができる。
【０００９】
前記テープ切断装置は、前記切断手段の前記第一方向とは反対の第三方向側に、前記テープ配置通路に配置された前記テープの前記第三方向への移動量を規制する規制部を備えてもよい。この場合において、切断手段が離間状態にある場合、テープ配置通路に配置されたテープの端部を、切断手段の第三方向側に配置して、規制部に当接させることで、テープを位置決めすることができる。このため、第一駆動制御手段は、切断手段と規制部との間の長さ分だけ、テープの余白部分を切断することができる。
【００１０】
前記テープ切断装置において、前記規制部は、前記第一方向又は前記第三方向に移動可能であってもよい。この場合、規制部は、第一方向又は第三方向に移動させることで、第一駆動制御手段によって切断されるテープの余白部分の長さを調整することができる。よって、ユーザの利便性が向上する。
【００１１】
前記テープ切断装置は、前記駆動手段を使用して、前記切断手段を前記中間状態に変化させる第四駆動制御手段と、前記第四駆動手段が前記切断手段を前記中間状態に変化させた後、前記駆動手段を使用して、前記切断手段を前記重なり状態に変化させる第五駆動制御手段と、前記第五駆動手段が前記切断手段を前記重なり状態に変化させた後、前記駆動手段を使用して、前記切断手段を前記中間状態に変化させる第六駆動制御手段と、前記第六駆動制御手段が前記切断手段を前記中間状態に変化させた後、前記駆動手段を使用して、前記切断手段を前記重なり状態に変化させる第七駆動制御手段とを備えてもよい。
【００１２】
この場合、第四駆動制御手段は、切断手段を中間状態に変化させる。切断手段が中間状態にある場合、切断手段より第一方向とは反対側には、テープを設置できない。そして、テープを第二刃胴部に当接させることでテープの位置決めをすることができ、位置決めされたテープの角部は、第一刃端部と第二刃端部との間に位置する。第五駆動制御手段が、切断手段を重なり状態に変化させると、テープの角部のみが切断される。その後、第六駆動制御手段が切断手段を中間状態に変化させる。ユーザはテープを裏返して、テープ配置通路にテープを配置する。この場合、テープの他の角部（切断されていない角部）は、第一刃端部と第二刃端部との間に位置する。そして、第七駆動制御手段が切断手段を重なり状態に変化させると、テープの他の角部が切断される。このように、テープ切断装置は、テープの余白部分の切断を行わず、テープの角部のみの切断を行うことができる。
【図面の簡単な説明】
【００１３】
【図１】テープ切断装置１の斜視図である。
【図２】切断手段３が重なり状態にある場合のテープ切断装置１の内部構成を上方から見た図である。
【図３】テープ５０が配置され、切断手段３が重なり状態にある場合のテープ切断装置１の内部構成を上方から見た図である。
【図４】図３の重なり状態の切断手段３を右方から見た図である。
【図５】テープ５０が配置され、切断手段３が離間状態にある場合のテープ切断装置１の内部構成を上方から見た図である。
【図６】図５の離間状態の切断手段３を右方からみた図である。
【図７】テープ５０を示す平面図である。
【図８】テープ切断装置１の電気的構成を示すブロック図である。
【図９】メイン処理を示すフローチャートである。
【図１０】図７に示すテープ５０の余白部分５２と角部５５とが切断された状態を示す平面図である。
【図１１】テープ５０が配置され、切断手段３が中間状態にある場合のテープ切断装置１の内部構成を上方から見た図である。
【図１２】図１１の第一刃端部３１１と第二刃端部３２１との周辺の要部拡大図である。
【図１３】図１１の中間状態の切断手段３を右方から見た図である。
【図１４】図１０に示すテープ５０の角部５６が切断された状態における裏面を示す平面図である。
【図１５】図１４に示すテープ５０の余白部分５３と角部が切断された状態を示す平面図である。
【図１６】テープ５０が配置され、切断手段３が離間状態にある場合のテープ切断装置１の内部構成を上方から見た図である。
【図１７】図７に示すテープ５０の余白部分５２が切断された状態を示す平面図である。
【図１８】図７に示すテープ５０の２つの角部が切断された状態を示す平面図である。
【図１９】図５に示す操作部１６と規制部１６１とをやや右側に移動させた状態のテープ切断装置１の内部構成を上方から見た図である。
【図２０】テープ５０が配置され、切断手段９０が離間状態にある場合のテープ切断装置１の内部構成を上方から見た図である。
【図２１】離間状態にある切断手段９０を右方から見た図である。
【図２２】重なり状態にある切断手段９０を右方から見た図である。
【図２３】中間状態にある切断手段９０を右方から見た図である。
【発明を実施するための形態】
【００１４】
以下、本発明を具現化した実施の形態について、図面を参照して説明する。図１及び図２を参照し、第一実施形態に係るテープ切断装置１の概略構成について説明する。テープ切断装置１は、テーププリンタ等によってキャラクタ（文字、記号、及び数字等）が印字されたテープ状の印字媒体５０（図７参照。以下、テープ５０という。）の余白部分や、角部を切断可能な装置である。本実施形態の説明では、図１の紙面右上側、左下側、右下側、左上側、上側、下側を、それぞれテープ切断装置１の後側、前側、右側、左側、上側、下側とする。
【００１５】
図１に示すように、テープ切断装置１は、前後方向にやや長い略直方体状の外観をしている。テープ切断装置１の上面１１の中央部からテープ切断装置１の後端側に向けて、上面１１から側面視略弧状に上方に突出する突出部１４が設けられている。突出部１４の内部では、後述する切断手段３の第二刃３２（図２参照）が移動する。突出部１４の左側には、テープ５０が配置される通路であるテープ配置通路１３（詳細は後述）の第一テープ配置面１３１が左方に延びている。第一テープ配置面１３１の前側には、スイッチ１２が設けられている。
【００１６】
突出部１４の右側には、矩形状の開口部１５が設けられている。開口部１５の内側には、操作部１６が設けられている。図２に示すように、操作部１６は、開口部１５の内側を下方に延び、テープ切断装置１の内部で左方向に屈曲している。テープ切断装置１の内部で左方向に屈曲した部位の左端の面は規制部１６１である。規制部１６１は、平面視で、切断手段３の右方向（本発明の「第三方向」に相当。）側に位置している。規制部１６１は、テープ配置通路１３に配置されたテープ５０の右方向への移動量を規制する。操作部１６は、開口部１５内を左右方向に移動可能である。操作部１６の移動に伴って規制部１６１が左右方向に移動する。
【００１７】
図２、図４、及び図６を参照して、テープ切断装置１の内部の構成について説明する。テープ切断装置１の内部には、切断手段３が設けられている。切断手段３は、前後方向に延びる固定板２９と、固定板２９より前後方向に長い可動板３０とを備えている。固定板２９は、第一刃３１を有する。可動板３０は、第二刃３２を有する。切断手段３は、第一刃３１と第二刃３２との間でテープ５０を挟んで切断する。可動板３０は固定板２９の右側に位置している。固定板２９と可動板３０とは、固定板２９の前端部と可動板３０の前後方向の略中央とにおいて、互いに対向する面が接触した状態で、軸支部３４によって軸支されている。可動板３０は軸支部３４を中心に回動可能である。
【００１８】
第一刃３１は、軸支部３４の後側から後方に向かって延びている。第一刃３１の上端は、上方に向けて尖っている。第一刃３１の後側の端部（後述する第二刃端部３２１に対応する端部）を第一刃端部３１１という。また、第一刃端部３１１以外の第一刃３１の部分を第一刃胴部３１２という。
【００１９】
第二刃３２は、軸支部３４の後側から後方に向かって延びている。第二刃３２の下端は、下方に向けて尖っている。第一刃端部３１１に対応する第二刃３２の後側の端部を第二刃端部３２１という。第二刃端部３２１以外の第二刃３２の部分を第二刃胴部３２２という。図２では、説明のため、第一刃端部３１１と第一刃胴部３１２との境目３８を図示している。また、第二刃端部３２１と第二刃胴部３２２との境目３９を図示している。
【００２０】
以下の説明では、図２から図４に示すように、第一刃端部３１１と第二刃端部３２１とが重なり、且つ第一刃胴部３１２と第二刃胴部３２２とが重なった状態を「重なり状態」という。また、図５及び図６に示すように、第一刃端部３１１と第二刃端部３２１とが離間し、且つ第一刃胴部３１２と第二刃胴部３２２とがテープ配置通路１３（後述）から離間した状態を「離間状態」という。
【００２１】
図２に示すように、第一刃端部３１１と第二刃端部３２１とは、重なり状態にある第二刃胴部３２２から第一刃胴部３１２に向かう方向（つまり、左方向。本発明の「第一方向」に相当。）に屈曲している。より詳細には、第一刃端部３１１と第二刃端部３２１とは、それぞれ、第一刃胴部３１２と第二刃胴部３２２とから円弧状に屈曲し、第一刃端部３１１と第二刃端部３２１との先端は、左方向に向いている。
【００２２】
可動板３０において、軸支部３４より前側を、板部３７という。図４に示すように、板部３７の前後方向の略中央から、前端にかけて、前後方向に長い孔である孔部３７１が設けられている。孔部３７１の内側には、後述する係合部４５が係合している。
【００２３】
次に、切断手段３を駆動するモータ４０等について説明する。図２及び図４に示すように、板部３７の左方には、モータ４０が設けられている。モータ４０から右側に向けて、回転軸４１が突出している。回転軸４１の先端には、ギア４２が固着されている。ギア４２は、側面視で円形のギア４３に噛合されている。ギア４３の円形の右側面には、ギア４３から右方に突出する円柱部４４が設けられている。円柱部４４の径は、ギア４３の径より小さい。円柱部４４の右面の外周近傍には、右方に突出する円柱状の係合部４５が設けられている。係合部４５は、切断手段３の孔部３７１を貫通して孔部３７１の右方に突出している。これによって、係合部４５と孔部３７１とは互いに係合している。
【００２４】
モータ４０が駆動すると、ギア４２が回転する。ギア４２が回転すると、ギア４３が回転し、円柱部４４が回転する。円柱部４４が回転すると係合部４５が円弧を描くように移動する。移動する係合部４５は、切断手段３の孔部３７１を上方又は下方に押下する。これによって、板部３７が軸支部３４を中心に上下に回動する。板部３７が上下に回動すると、第二刃３２が軸支部３４を中心に上下に回動する。言い換えると、第二刃３２は、第二刃端部３２１から第二刃胴部３２２を挟んで反対側の一支点（軸支部３４）を中心に回動する。これによって、切断手段３が離間状態（図５及び図６参照）と重なり状態（図２から図４参照）との間で変化する。また、切断手段３が重なり状態から離間状態に変化する場合に、第一刃端部３１１と第二刃端部３２１とが離間を開始するタイミングが、第一刃胴部３１２と第二刃胴部３２２とが離間を開始するタイミングより前になる。
【００２５】
図２及び図６を参照してテープ配置通路１３について説明する。テープ配置通路１３は、テープ５０を配置するための通路である。テープ配置通路１３は、第一刃３１と第二刃３２との摺動面３６に直交する方向（つまり、左右方向）と平行に延びる。また、テープ配置通路１３は、図６の矢印８０の方向に動く第二刃端部３２１の可動範囲と交差する。
【００２６】
より詳細には、テープ配置通路１３は、上下方向において、第一刃３１のやや上側に位置する（図６参照）。図２に示すように、テープ配置通路１３のうち、平面視で切断手段３から左方に延びる部分の前後方向の長さは、軸支部３４のやや後方から、重なり状態における第一刃端部３１１と第二刃端部３２１と境目までの長さである。テープ配置通路１３において、切断手段３の左側の底面を形成する面が、第一テープ配置面１３１である。第一テープ配置面１３１は、テープ切断装置１の切断手段３のやや左側から左方に延びる。また、第一テープ配置面１３１の後端には、上方に向けて立設された壁部である後端壁１３３が設けられている。第一テープ配置面１３１の前端には、上方向けて立設された壁部である前端壁１３４が設けられている。
【００２７】
テープ配置通路１３のうち、平面視で切断手段３から右方に延びる部分の前後方向の長さは、軸支部３４のやや後方から、第二刃端部３２１のやや後方までの長さである。テープ配置通路１３において、切断手段３の右側の底面を形成する面が、第二テープ配置面１３２である。第二テープ配置面１３２は、切断手段３のやや右側から右方に延びる。
【００２８】
第一テープ配置面１３１と第二テープ配置面１３２とは、切断手段３を挟んで離間している。第一テープ配置面１３１と第二テープ配置面１３２との間には、切断手段３を配置するための孔部１３５が形成されている。孔部１３５の上側にテープ５０が配置され、第二刃３２が移動することによって、テープ５０が切断される（図３参照）。なお、規制部１６１は、第二テープ配置面１３２上に位置しており、第二テープ配置面１３２上を左右方向に移動する。
【００２９】
図７を参照して、テープ５０の一例について説明する。テープ５０は、例えば、裏面に剥離紙５７（図１４参照）が貼り付けされた粘着テープである。テープ５０の表面５１には、テーププリンタ（図示外）等によってキャラクタ「ＡＢＣ」が印刷されている。テープ５０に右側には、キャラクタ「ＡＢＣ」が印刷されていない余白部分５２が形成されている。同様に、テープ５０の左側には余白部分５３が形成されている。ユーザは、剥離紙５７をテープ５０から剥離することで、キャラクタ「ＡＢＣ」が印字されたテープ５０を、他の物体に貼り付けることができる。
【００３０】
図８を参照して、テープ切断装置１の電気的構成について説明する。図８に示すように、テープ切断装置１は、各機器を制御するＣＰＵ１０１、ＲＯＭ１０２、ＲＡＭ１０３、スイッチ１２、モータ４０、及び駆動回路１０４を少なくとも備えている。これらの電気的構成は、テープ切断装置１の内部に設けられた電池（図示外）から電源回路（図示外）を介して供給される電力によって駆動する。ＣＰＵ１０１は、ＲＯＭ１０２とＲＡＭ１０３とに電気的に接続されている。ＲＯＭ１０２には、ＣＰＵ１０１がテープ切断装置１を制御するために実行する各種プログラム（後述するメイン処理のプログラム等）が記憶されている。ＲＡＭ１０３には、種々のデータが一時的に記憶される。
【００３１】
ＣＰＵ１０１は、スイッチ１２と電気的に接続されている。ＣＰＵ１０１は、ユーザによってスイッチ１２が押下されたことを検出できる。ＣＰＵ１０４は駆動回路１０４と電気的に接続され、駆動回路１０４はモータ４０と電気的に接続されている。ＣＰＵ１０１は、駆動回路を介してモータ４０を制御することができる。
【００３２】
図９を参照し、テープ切断装置１のＣＰＵ１０１によって実行されるメイン処理について説明する。メイン処理が実行されることによって、テープ５０の余白部分５２，５３の切断と、角部の切断とが実行される。以下の説明では、各処理のステップを「Ｓ」と略記する。
【００３３】
図７に示すテープ５０の余白部分５２と角部とを切断する場合を例示しながら説明する。メイン処理では、まず、スイッチ１２が押下されたか否かが判断される（Ｓ１）。なお、Ｓ１が実行される場合、切断手段３の状態は、常に離間状態（図５及び図６参照）となっている。ユーザは、操作部１６を操作して規制部１６１を左右方向に移動させて、規制部１６１と切断手段３（より詳細には、摺動面３６）との間の長さを調整して、テープ５０を切断する長さを調整する。以下の説明では、ユーザは、余白部分５２を切断するために、規制部１６１をその可動範囲の最も左側に位置するように調整したとする。図５及び図６に示すように、ユーザは、切断手段３が離間状態にある間に、テープ５０をテープ配置通路１３に配置する。このとき、ユーザはテープ５０を切断手段３の左側から右方に向けて挿入する。切断手段３は離間状態にあるので、第一刃３１と第二刃３２とがテープ配置通路１３を挟んで離間している。このため、テープ５０は、離間した第一刃３１と第二刃３２との間を通過し、規制部１６１に当接して左右方向の位置決めがされる。よって、ユーザは、テープの余白部分５２が切断手段３（摺動面３６）の右側に位置し、余白部分５２以外の部分が切断手段３（摺動面３６）の左側に位置するように、テープ５０をテープ配置通路１３に配置することができる。また、ユーザは、テープ５０の後側の端部をテープ配置通路１３の後端壁１３３に当接させる。これによって、テープ５０の前後方向の位置決めがされる。
【００３４】
図９に示すように、スイッチ１２が押下されていない場合（Ｓ１：ＮＯ）、処理はＳ１に戻る。スイッチ１２が押下された場合（Ｓ１：ＹＥＳ）、時間Ｔの測定が０秒から開始される（Ｓ２）。時間Ｔは、ユーザがスイッチ１２を継続して押下した時間を測定するための変数である。測定された時間ＴはＲＡＭ１０３に記憶される。ＣＰＵ１０１は、図示しない振動子が発生させるクロック信号を使用して時間を計測する。なお、別途タイマを設けて、ＣＰＵ１０１が当該タイマを使用して時間を測定するように構成してもよい。
【００３５】
次いで、スイッチ１２の押下が終了されたか否かが判断される（Ｓ３）。スイッチ１２の押下が終了されていない場合（Ｓ３：ＮＯ）、処理はＳ３に戻る。スイッチ１２の押下が終了された場合（Ｓ３：ＹＥＳ）、時間Ｔの測定が終了される（Ｓ４）。次いで、時間Ｔが所定時間（２秒）以上となったか否かが判断される（Ｓ５）。言い換えると、ユーザがスイッチ１２を２秒以上継続して押下したか否かが判断される。なお、スイッチ１２が２秒より短く押下された場合、ＣＰＵ１０１は、切断手段３を離間状態から重なり状態に変化させた後、中間状態（後述）に変化させ、再び重なり状態に変化させる処理を行う。この場合、ユーザは、テープ５０の余白部分５２の切断と角部の切断とを行うことができる。スイッチ１２が２秒以上且つ５秒より短い時間継続して押下された場合（後述するＳ１１：ＮＯ）、ＣＰＵ１０１は、切断手段３を中間状態にすることなく、離間状態から重なり状態に変化させた後、離間状態に変化させる処理を行う。この場合、ユーザは、テープ５０の余白部分５２の切断を行うことができる。また、スイッチ１２が５秒以上継続して押下された場合（後述するＳ１１：ＹＥＳ）、ＣＰＵ１０１は、切断手段３を離間状態から中間状態に変化させた後、重なり状態に変化させ、再び中間状態に変化させ、再び重なり状態に変化させる処理を行う。この場合、ユーザは、テープ５０の余白部分５２の切断を行うことなく、テープ５０の角部の切断を行うことができる。
【００３６】
時間Ｔが２秒以上でない場合（Ｓ５：ＮＯ）、ＣＰＵ１０１は、モータ４０を制御して第二刃３２を駆動させ、切断手段３を離間状態（図５及び図６参照）から、重なり状態（図３及び図４参照）に変化させる（Ｓ６）。この状態の変化の過程で、テープ５０が第一刃３１と第二刃３２との間に挟まれ、図１０に示すように、テープ５０の余白部分５２が切断される。また、第一刃端部３１１と第二刃端部３２１とが左方向に円弧状に屈曲しているので、図１０に示すように、第一刃端部３１１と第二刃端部３２１とによって、テープ５０の角部が円弧状に切断される。図１０では、切断された余白部分５２を点線で示している。以下の説明では、Ｓ６で円弧状に切断された角部を角部５５といい、角部５５と同じ側（図１０の紙面右側）の端部にある切断されていない角部を角部５６という。
【００３７】
なお、Ｓ６において切断手段３を離間状態から重なり状態に変化させる場合の処理は、種々の処理によって行うことができる。例えば、ＣＰＵ１０１は、予め設定された時間（例えば、１秒間）継続してモータを駆動させることで状態を変化させてもよい。また、第二刃３２の位置を検出するセンサ（例えば、光学式センサ）を設けて、重なり状態に変化したことを検出して、モータ４０の駆動を停止させることで、重なり状態に変化させてもよい（後述するＳ７、Ｓ９、Ｓ１０、Ｓ１２、Ｓ１３、Ｓ１４、Ｓ１６、Ｓ１７、Ｓ１９及びＳ２０において切断手段３の状態を変化させる場合も同様）。次いで、ＣＰＵ１０１は、モータ４０を制御して第二刃３２を駆動させ、切断手段３を重なり状態（図３及び図４参照）から、中間状態（図１１から図１３参照）に変化させる（Ｓ７）。
【００３８】
ここで、図１１から図１３を参照し、中間状態について説明する。図１２に示すように、重なり状態（図３参照）において、第二刃端部３２１と接触する第一刃端部３１１の面を第一面３１４という。また、第一刃端部３１１において、第一面３１４と対向する面を第二面３１５という。第一面３１４と第二面３１５との間の厚みの領域（図１２の斜線部の領域）を厚み領域３１６という。図１１から図１３に示すように、中間状態とは、第一刃端部３１１と第二刃端部３２１とが、テープ配置通路１３を挟んで離間した状態、且つ、厚み領域３１６を第一テープ配置面１３１に直交する方向（つまり、上下方向。本発明の「第二方向」に相当。）に延ばした領域に第二刃端部３２１が位置する状態である。言い換えると、第一刃端部３１１と第二刃端部３２１とが離間した状態において、上方から見たときに（つまり、平面視）、第二刃端部３２１の少なくとも一部が厚み領域３１６と重なる状態である（図１２参照）。この場合、図１３に示すように、第一刃端部３１１と第二刃端部３２１とは、わずかに離間し、第二刃胴部３２２は、テープ配置通路１３と交差する。
【００３９】
ユーザは、テープ５０を裏返して、切断手段３が中間状態にある間に、テープ５０をテープ配置通路１３に配置する。このとき、ユーザは、テープ５０を切断手段３の左側から右方に向けて挿入する。中間状態では、第二刃胴部３２２がテープ配置通路１３の少なくとも一部と交差しているので、切断手段３より右方向にはテープ５０を配置できない。よって、テープ５０における余白部分５２が切断された後の右側の端部を、第二刃胴部３２２に当接させることで、テープ５０を位置決めすることができる。（図１１及び図１２参照）。また、中間状態では、第一刃端部３１１と第二刃端部３２１とがテープ配置通路１３を挟んで離間しているので、位置決めされたテープ５０の切断されていない角部５６は、第一刃端部３１１と第二刃端部３２１との間に位置する（図１２及び図１３参照）。
【００４０】
図９に示すメイン処理の説明に戻る。Ｓ７で重なり状態から中間状態に変化された後、スイッチ１２が押下されたか否かが判断される（Ｓ８）。スイッチ１２が押下されていない場合（Ｓ８：ＮＯ）、処理はＳ８に戻る。スイッチ１２が押下された場合（Ｓ８：ＹＥＳ）、ＣＰＵ１０１は、モータ４０を制御して第二刃３２を駆動させ、切断手段３を中間状態（図１１から図１３参照）から、重なり状態（図３及び図４参照）に変化させる（Ｓ９）。この状態の変化の過程で、テープ５０の角部５６が、左方向に屈曲した第一刃端部３１１と第二刃端部３２１とに挟まれ、切断される。これによって、図１４に示すように、角部５６は、第一刃端部３１１と第二刃端部３２１との形状に合わせて円弧状に切断される。以上の２段階の処理で、テープ切断装置１は、テープ５０の余白部分５２の切断と、テープ５０の角部５５，５６の切断とを行うことができる。
【００４１】
Ｓ９が実行された後、ＣＰＵ１０１は、モータ４０を制御して第二刃３２を駆動させ、切断手段３を重なり状態（図３及び図４参照）から離間状態（図５及び図６参照）に変化させる（Ｓ１０）。次いで、処理はＳ１に戻る。テープ５０の余白部分５３についても、余白部分５２と同様にＳ１〜Ｓ１０を実行して切断することによって、図１５に示すように、ユーザは、余白部分５２，５３が切断され、且つ円弧状の４つの角部が形成されたテープ５０を得ることができる。
【００４２】
次に、角部の切断は行わず、余白部分５２（図７参照）のみを切断する場合について説明する。この場合、図１６に示すように、ユーザは、切断手段３が離間状態にある間に、テープ５０をテープ配置通路１３に配置する。このとき、前述したように、テープ５０は、規制部１６１に当接して左右方向の位置決めがされる。この場合、テープ５０の余白部分５２が切断手段３（摺動面３６）の右側に位置する。また、ユーザは、テープ５０の前側の端部をテープ配置通路１３の前端壁１３４に当接させる。これによって、テープ５０の前後方向の位置決めがされる。このとき、テープ５０の後側の端部は、第一刃端部３１１と第二刃端部３２１とに対応した位置には存在しない。言い換えると、第二刃端部３２１の可動範囲に存在しない。テープ５０をテープ配置通路１３に配置した後、ユーザはスイッチ１２を２秒以上且つ５秒より短い時間継続して押下する。
【００４３】
この場合、図９に示すように、スイッチ１２が押下されたと判断され（Ｓ１：ＹＥＳ）、時間Ｔが２秒以上であると判断される（Ｓ５：ＹＥＳ）。次いで、時間Ｔが所定時間（５秒）以上であるか否かが判断される（Ｓ１１）。５秒より短い時間押下されているので、時間Ｔが５秒以上でないと判断され（Ｓ１１：ＮＯ）、Ｓ６と同様に、ＣＰＵ１０１は、切断手段３を離間状態（図１６参照）から、重なり状態に変化させる（Ｓ１２）。この変化の過程で、テープ５０は第一刃胴部３１２と第二刃胴部３２２との間に挟まれて切断される。このとき、テープ５０は、第一刃端部３１１と第二刃端部３２１とには切断されないので、角部の切断は行われない。よって、図１７に示すように、テープ５０の余白部分５２のみが切断されたテープ５０が得られる。次いで、Ｓ１０と同様に、ＣＰＵ１０１は、切断手段３を重なり状態から、離間状態に変化させる（Ｓ１３）。次いで、処理は、Ｓ１に戻る。テープ５０の余白部分５３についても、余白部分５２と同様に、Ｓ１２及びＳ１３を実行して切断することができる。よって、ユーザは、余白部分５２，５３が切断され、４つの角部が切断されていないテープ５０を得ることができる。
【００４４】
次に、余白部分５２の切断を行わず、角部のみを切断する場合について説明する。この場合、ユーザは、テープ５０をテープ配置通路１３に配置する前に、スイッチ１２を５秒以上継続して押下する。この場合、図９に示すように、スイッチ１２が押下されたと判断され（Ｓ１：ＹＥＳ）、時間Ｔが５秒以上であると判断される（Ｓ１１：ＹＥＳ）。次いで、ＣＰＵ１０１は、モータ４０を制御して、切断手段３を中間状態に変化させる（Ｓ１４）。次いで、スイッチ１２が押下されたか否かが判断される（Ｓ１５）。ユーザは、テープ５０をテープ配置通路１３に配置する。この場合、テープ５０の余白部分５２が設けられている側の端部（図７の紙面右側の端部）が、第二刃胴部３２２に当接され、位置決めされる。そして、テープ５０の一の角部（図７の紙面右上の角部）が第一刃端部３１１と第二刃端部３２１との間に位置する。
【００４５】
スイッチ１２が押下されていない場合（Ｓ１５：ＮＯ）、処理はＳ１５に戻る。スイッチ１２が押下されると（Ｓ１５：ＹＥＳ）、ＣＰＵ１０１は、モータ４０を制御して、切断手段３を中間状態から重なり状態に変化させる（Ｓ１６）。これによって、テープ５０の一の角部が切断される。次いで、ＣＰＵ１０１は、モータ４０を制御して、切断手段３を重なり状態から中間状態に変化させる（Ｓ１７）。次いで、スイッチ１２が押下されたか否かが判断される（Ｓ１８）。ユーザはテープ５０を裏返してテープ配置通路１３に配置する。この場合、テープ５０の他の角部（切断されていない角部）が第一刃端部３１１と第二刃端部３２１との間に位置する。
【００４６】
スイッチ１２が押下されていない場合（Ｓ１８：ＮＯ）、処理はＳ１８に戻る。スイッチ１２が押下された場合（Ｓ１８）、ＣＰＵ１０１は、モータ４０を制御して、切断手段３を中間状態から重なり状態に変化させる（Ｓ１９）。これによって、テープ５０の他の角部が切断される。これによって、図１８に示すように、余白部分５２は切断されず、角部のみが切断されたテープ５０を得ることができる。次いで、Ｓ１０と同様に、ＣＰＵ１０１は、切断手段３を重なり状態から、離間状態に変化させる（Ｓ２０）。テープ５０の図１８の紙面左側の２つの角部についても同様に、Ｓ１４〜Ｓ２０を実行して切断することができる。よって、ユーザは、余白部分５２，５３が切断されず、４つの角部が切断されたテープ５０を得ることができる。
【００４７】
以上のように、本実施形態における処理が行われる。本実施形態では、１台のテープ切断装置１を使用して、テープの余白部分５２，５３の切断と角部の切断とを行うことができる。このため、ユーザが手作業で余白部分５２，５３の切断を行う必要がなく、ユーザの利便性が向上する。
【００４８】
また、テープ切断装置１は、角部の切断を行わず、テープ５０の余白部分５２，５３を切断することができる。よって、ユーザの利便性がさらに向上する。
【００４９】
また、テープ切断装置１は、テープ５０の余白部分５２，５３の切断を行わず、角部のみの切断を行うことができる。よって、ユーザの利便性がさらに向上する。
【００５０】
また、本実施形態では、規制部１６１によってテープ５０が位置決めされる。このため、切断手段３と規制部１６１との間の長さ分だけ、テープ５０の余白部分５２を切断することができる。なお、ユーザは、開口部１５の左右方向の長さ分だけ、操作部１６を左右方向に移動させることができる。これによって、ユーザは、規制部１６１の位置を左右方向に移動させることができる。例えば、図１９に示すように、切断手段３が離間状態にある場合に、操作部１６を図５の場合よりやや右側に移動させた場合、切断手段３から規制部１６１までの長さが長くなる。このため、切断する余白部分５２の長さが長くなる。つまり、ユーザは、テープ５０の余白部分５２を切断する長さを調整することができる。よって、ユーザの利便性が向上する。
【００５１】
また、本実施形態では、角部が円弧状に切断される。このため、角部が直角に形成されている場合と比較して、テープ５０を他の物体に貼り付けた場合に、角部が剥がれ難くなる。
【００５２】
上記実施形態において、モータ４０が本発明の「駆動手段」に相当し、図９のＳ６の処理を行うＣＰＵ１０１が本発明の「第一駆動制御手段」に相当する。Ｓ７の処理を行うＣＰＵ１０１が本発明の「第二駆動制御手段」に相当し、Ｓ９の処理を行うＣＰＵ１０１が本発明の「第三駆動制御手段」に相当する。Ｓ１４の処理を行うＣＰＵ１０１が本発明の「第四駆動制御手段」に相当し、Ｓ１６の処理を行うＣＰＵ１０１が本発明の「第五駆動制御手段」に相当する。Ｓ１７の処理を行うＣＰＵ１０１が本発明の「第六駆動制御手段」に相当し、Ｓ１９の処理を行うＣＰＵ１０１が本発明の「第七駆動制御手段」に相当する。
【００５３】
なお、本発明は上記実施形態に限定されることなく、種々の変更が可能である。例えば、第一刃３１が固定されていたが、これに限定されない。例えば、第一刃３１及び第二刃３２の両方を可動に構成してもよい。
【００５４】
また、第一刃端部３１１と第二刃端部３２１とは、平面視で、左方向に円弧状に屈曲していたが、これに限定されない。例えば、平面視で、左方向に斜めの直線（例えば、第一刃胴部３１２と第二刃胴部３２２とが延びる方向に対して、左斜め後方向に４５度の角度で延びる直線）を描くように屈曲してもよい。
【００５５】
また、テープ切断装置１に発光ダイオード（ＬＥＤ）等を複数設けたり、点滅させたりすることによって、切断手段３が離間状態、重なり状態、及び中間状態のいずれの状態にあるかをユーザに報知するようにしてもよい。この場合、ユーザは、切断手段３の状態を確認することができるので、ユーザの利便性が向上する。
【００５６】
また、テープ配置通路１３は、左右方向に水平に延びていたが、これに限定されない。例えば、テープ配置通路１３は、左右方向に延びつつ、上下方向にやや傾いていてもよい。また、テープ配置通路１３は、左右方向に延びつつ、前後方向にやや傾いていてもよい。
【００５７】
また、第二テープ配置面１３２が設けられていたが、これに限定されない。例えば、第二テープ配置面１３２の代わりに孔を設けてもよい。この場合、当該孔から切断後のテープの切れ端（余白部分５２等）が落下するため、孔の下に切れ端の収容部を設けることで、効率的に切れ端を回収することができる。
【００５８】
また、中間状態は、第一刃端部３１１と第二刃端部３２１とが、テープ配置通路１３を挟んで離間した状態、且つ、厚み領域３１６を上下方向に延ばした領域に第二刃端部３２１が位置する状態であったが、これに限定されない。例えば、中間状態は、厚み領域３１６を上下方向に延ばした領域に第二刃端部３２１が位置せず、第二刃胴部３２２が、テープ配置通路１３と交差する状態であってもよい。この場合でも、第二刃胴部３２２が、テープ配置通路１３と交差しているので、ユーザは切断手段３より右方向にはテープ５０を配置できない。よって、ユーザは、テープ５０の右側の端部を第二刃胴部３２２に当接させることで、テープ５０を位置決めすることができる。
【００５９】
また、第二刃３２が軸支部３４を中心に回動するように切断手段３を構成していたが、これに限定されない。例えば、第一刃３１と第二刃３２とが、いわゆる押切式で構成されていてもよい。以下、切断手段３の変形例である、押切式の切断手段９０について詳細に説明する。本実施形態を第二実施形態という。なお、以下の説明では、テープ切断装置１におけるテープ配置通路１３、規制部１６１、操作部１６、及びモータ４０等の構成、テープ切断装置１の電気的構成、及び、テープ切断装置１の外観形状は、第一実施形態と同一であるので、詳細の説明は省略する。
【００６０】
図２０及び図２１に示すように、切断手段９０は、板状の第一刃９１と板状の第二刃９２とを備えている。切断手段９０は、第一刃９１と第二刃９２との間でテープ５０を挟んで切断する。第一刃９１は固定されている。第二刃９２は、モータ４０の駆動によって上下方向に移動する。第二刃９２を上下方向に駆動させるギア等については図示を省略している。テープ配置通路１３は、第一刃９１と第二刃９２との摺動面９６（図２０参照）に直交する方向（つまり、左右方向）に延びる。
【００６１】
第一刃９１と第二刃９２とは、共に平面視で前後方向に延びる。第一刃９１の上端の上下方向の位置は、テープ配置通路１３のやや下側である。第一刃９１の上端は上方に向けて尖っている。第一刃９１の後側の端部（後述する第二刃端部９２１に対応する端部）を第一刃端部９１１という。また、第一刃端部９１１以外の第一刃９１の部分を第一刃胴部９１２という。
【００６２】
第二刃９２は、側面視で、前側の下端よりも後側の下端の方が上方に位置するように、下端部が後方に向かって斜めに延びている（図２１参照）。第二刃９２の前後方向に亘る下端は下方に向けて尖っている。第一刃端部９１１に対応する第二刃９２の後側の端部を第二刃端部９２１という。第二刃端部９２１以外の第二刃９２の部分を第二刃胴部９２２という。第一刃端部９１１と第二刃端部９２１とは、第一実施形態と同様に、左方向に円弧状に屈曲している。
【００６３】
第二実施形態では、図２１に示すように、第一刃端部９１１と第二刃端部９２１とが離間し、且つ第一刃胴部９１２と第二刃胴部９２２とがテープ配置通路１３から離間した状態を「離間状態」という。図２２に示すように、第一刃端部９１１と第二刃端部９２１が重なり、且つ第一刃胴部９１２と第二刃胴部９２２とが重なった状態を「重なり状態」という。また、図２３に示すように、第一刃端部９１１と第二刃端部９２１とが離間し、第二刃胴部９２２がテープ配置通路１３と交差する状態を中間状態という。なお、図２０は、離間状態を表しているとする。
【００６４】
本実施形態では、第二刃９２は、前側の下端よりも後側の下端の方が上方に位置するように、下端部が斜めに延びており、上下方向に移動する。このため、切断手段９０が重なり状態（図２２参照）から離間状態（図２１参照）に変化する場合に、第一刃端部９１１と第二刃端部９２１とが離間を開始するタイミングが、第一刃胴部９１２と第二刃胴部９２２とが離間を開始するタイミングより前になる。
【００６５】
次に、図９に示すフローチャートを参照して、本実施形態におけるメイン処理について説明する。メイン処理におけるテープ５０の切断態様は、第一実施形態の場合と同様なので、簡単に説明する。以下の説明では、図７に示すテープ５０の余白部分５２と角部とを切断する場合を例示しながら説明する。
【００６６】
図２０に示すように、切断手段９０が離間状態にある間に、ユーザは、テープ５０をテープ配置通路１３に配置する。このとき、規制部１６１によってテープ５０の左右方向の位置決めがされ、テープ配置通路１３の後端壁１３３によってテープ５０の前後方向の位置決めがされる。
【００６７】
そして、スイッチ１２が２秒より短い時間押下されると（Ｓ５：ＹＥＳ）、第二刃９２が駆動され、切断手段９０が離間状態（図２１参照）から重なり状態（図２２参照）に変化する。この変化の過程で、テープ５０が第一刃９１と第二刃９２との間に挟まれ、テープ５０の余白部分５２が切断される。また、第一刃端部９１１と第二刃端部９２１によって、テープ５０の角部５５が切断される（図１０参照）。
【００６８】
そして、ＣＰＵ１０１は、切断手段９０を重なり状態（図２２参照）から中間状態（２１参照）に変化させる（Ｓ７）。ユーザがテープ５０を裏返して、テープ配置通路１３に配置する。第二刃胴部９２２がテープ配置通路１３と交差しているので、ユーザは切断手段３より右方向にはテープ５０を配置できない。よって、テープ５０の右端は、第二刃胴部９２２に当接して位置決めされる。また、位置決めされたテープの切断されていない角部５６（図１０参照）は、第一刃端部９１１と第二刃端部９２１との間に位置する（図２３参照）。
【００６９】
そして、Ｓ９が実行されると、第二刃９２が駆動され、切断手段９０が中間状態（図２３参照）から重なり状態（図２２参照）に変化する（Ｓ９）。この変化の過程で、テープ５０の角部５６が第一刃端部９１１と第二刃端部９２１との形状に合わせて円弧状に切断される（図１４参照）。
【００７０】
以上のようにして、テープ切断装置１は、テープ５０の余白部分５２の切断と、テープ５０の角部５５，５６の切断とを行うことができる。第二実施形態では、第一実施形態と同様の効果を得ることができる。なお、テープ５０の前側の端部をテープ配置通路１３の前端壁１３４に当接させて配置した場合、第一実施形態の場合と同様に、Ｓ１２において、テープ５０の角部の切断を行わず、余白部分５２のみの切断を行うことができる。また、第一実施形態の場合と同様に、Ｓ１４〜Ｓ２０を実行し、テープ５０の余白部分５２の切断を行わず、角部のみの切断を行うことができる。
【符号の説明】
【００７１】
１    テープ切断装置
３，９０    切断手段
１２    スイッチ
１３    テープ配置通路
１６    操作部
２９    固定板
３０    可動板
３１，９１    第一刃
３２，９２    第二刃
３４    軸支部
３６，９６    摺動面
４０    モータ
５０    テープ
５２，５３    余白部分
５５，５６    角部
１３１    第一テープ配置面
１３２    第二テープ配置面
１６１    規制部
３１１，９１１    第一刃端部
３１２，９１２    第一刃胴部
３１４    第一面
３１５    第二面
３１６    厚み領域
３２１，９２１    第二刃端部
３２２，９２２    第二刃胴部
【図１】
0005510375.tif 000002
【図２】
0005510375.tif 000003
【図３】
0005510375.tif 000004
【図４】
0005510375.tif 000005
【図５】
0005510375.tif 000006
【図６】
0005510375.tif 000007
【図７】
0005510375.tif 000008
【図８】
0005510375.tif 000009
【図９】
0005510375.tif 000010
【図１０】
0005510375.tif 000011
【図１１】
0005510375.tif 000012
【図１２】
0005510375.tif 000013
【図１３】
0005510375.tif 000014
【図１４】
0005510375.tif 000015
【図１５】
0005510375.tif 000016
【図１６】
0005510375.tif 000017
【図１７】
0005510375.tif 000018
【図１８】
0005510375.tif 000019
【図１９】
0005510375.tif 000020
【図２０】
0005510375.tif 000021
【図２１】
0005510375.tif 000022
【図２２】
0005510375.tif 000023
【図２３】
0005510375.tif 000024